(57)【要約】【課題】鉄道車両を効率良く管理することが可能な台帳データを、容易に登録することができ、その台帳データを用いて特定の機器および当該機器が設備に利用されている車両、編成を検索する機能を備えた鉄道車両保守管理装置を提供する。【解決手段】車両保守管理データベース部２を、各種マスタデータ２１、各種テンプレートデータ２２、各種台帳データ２３の階層に分けて構成し、それぞれのデータを対応する編集部３１〜３３で編集する。各種マスタデータ２１を利用して各種テンプレートデータ２２を、各種テンプレートデータ２２を利用して各種台帳データ２３を生成する。各種台帳データ２３を用いて、機種・型式検索部において、検査・修繕が必要となる機器および当該機器と同一型式または同一機種の機器、並びにその機器が用いられている車両、編成を検索する。【選択図】図１
2005073448.tif 000002
【特許請求の範囲】
【請求項１】
ネットワークを経由して接続された利用端末と車両保守管理サーバとで構成される車両保守管理装置において、前記車両保守管理サーバは、鉄道車両に関するデータの入力項目を定義したマスタデータと、前記マスタデータを編集するマスタデータ編集部と、前記マスタデータを組み合わせて作成され、鉄道車両に関するデータの保守に利便良く類型化されたテンプレートデータと、前記マスタデータに登録されている入力項目を利用して前記テンプレートデータを編集するテンプレートデータ編集部と、鉄道車両に関するデータが階層構造の形で互いに関連付けられて保管されている台帳データと、前記テンプレートデータを利用して前記台帳データを編集する台帳データ編集部とを備え、前記利用端末を通じて編集された前記マスタデータおよび前記テンプレートデータから個々のデータを選択すると、前記台帳データの階層構造に編集結果が反映され、この編集結果が反映された階層構造に基づいて前記利用端末から鉄道車両に関する固有のデータが入力できる車両保守管理装置。
【請求項２】
前記車両保守管理サーバは、鉄道車両の故障に関する情報を保存した検査・修繕データと、前記検査・修繕データの編集を行う検査・修繕データ編集部と、前記台帳データから同一機種の機器を検索する機種・型式検索部とを備え、前記検査・修繕データ編集部は編集結果を前記台帳データに反映させ、前記機種・型式検索部は故障の種類が入力されると入力された故障を故障データとして持っている機器の一覧を表示し、この一覧より選択した機器について同機種検索ができることを特徴とする請求項１記載の車両保守管理装置。
【発明の詳細な説明】
【技術分野】
【０００１】
この発明は、鉄道車両保守のための管理装置に関するものである。
【背景技術】
【０００２】
従来の車両保守管理装置は、車両保守のため、車両搭載機器モニタ部のモニタデータを地上設備に送信し、地上設備は、そのモニタデータを保存するものである（例えば、特許文献１参照。）。
【０００３】
【特許文献１】特開平８−２５１７０２号公報
【発明の開示】
【発明が解決しようとする課題】
【０００４】
上記のような従来の車両保守管理装置の地上設備では、車両搭載機器のモニタデータのみを管理するため、車両や機器に関する修繕に必要な情報を別途、例えば、紙の台帳から入手する必要があった。
又、修繕内容が同一機種に水平展開の必要なものであった場合、型式等をキーに膨大な台帳から手めくり若しくは目視によって検索し、該当機器が装備されている車両、編成を特定する必要があった。
【０００５】
この発明は、上記のような問題点を解消するためになされたもので、鉄道車両に関する膨大な量の各種台帳を容易に登録、編集することができるようにするとともに、登録された台帳データから、車両の保守時に検査・修繕、交換等の水平展開が必要な同一機種、同一型式の機器及び、それらが装備されている車両、編成が容易に検索できる鉄道車両保守管理装置を得ることを目的とする。
【課題を解決するための手段】
【０００６】
この発明に係わる車両保守管理装置は、ネットワークを経由して接続された利用端末と車両保守管理サーバとで構成される車両保守管理装置において、前記車両保守管理サーバは、鉄道車両に関するデータの入力項目を定義したマスタデータと、前記マスタデータを編集するマスタデータ編集部と、前記マスタデータを組み合わせて作成され、鉄道車両に関するデータの保守に利便良く類型化されたテンプレートデータと、前記マスタデータに登録されている入力項目を利用して前記テンプレートデータを編集するテンプレートデータ編集部と、鉄道車両に関するデータが階層構造の形で互いに関連付けられて保管されている台帳データと、前記テンプレートデータを利用して前記台帳データを編集する台帳データ編集部とを備え、前記利用端末を通じて編集された前記マスタデータおよび前記テンプレートデータから個々のデータを選択すると、前記台帳データの階層構造に編集結果が反映され、この編集結果が反映された階層構造に基づいて前記利用端末から鉄道車両に関する固有のデータが入力できるものである。
【０００７】
また、この発明に係わる車両保守管理装置は、前記車両保守管理サーバは、鉄道車両の故障に関する情報を保存した検査・修繕データと、前記検査・修繕データの編集を行う検査・修繕データ編集部と、前記台帳データから同一機種の機器を検索する機種・型式検索部とを備え、前記検査・修繕データ編集部は編集結果を前記台帳データに反映させ、前記機種・型式検索部は故障の種類が入力されると入力された故障を故障データとして持っている機器の一覧を表示し、この一覧より選択した機器について同機種検索ができるものである。
【発明の効果】
【０００８】
この発明の車両保守管理装置によれば、ネットワークを経由して接続された利用端末と車両保守管理サーバとで構成される車両保守管理装置において、前記車両保守管理サーバは、鉄道車両に関するデータの入力項目を定義したマスタデータと、前記マスタデータを編集するマスタデータ編集部と、前記マスタデータを組み合わせて作成され、鉄道車両に関するデータの保守に利便良く類型化されたテンプレートデータと、前記マスタデータに登録されている入力項目を利用して前記テンプレートデータを編集するテンプレートデータ編集部と、鉄道車両に関するデータが階層構造の形で互いに関連付けられて保管されている台帳データと、前記テンプレートデータを利用して前記台帳データを編集する台帳データ編集部とを備え、前記利用端末を通じて編集された前記マスタデータおよび前記テンプレートデータから個々のデータを選択すると、前記台帳データの階層構造に編集結果が反映され、この編集結果が反映された階層構造に基づいて前記利用端末から鉄道車両に関する固有のデータが入力できるため、台帳データ編集部において、台帳データをマスタデータおよびテンプレートデータを利用して編集するように構成したので、各種台帳データとして新しい情報を登録する際に、膨大なデータを効率良く入力することができ、また入力ミスや入力忘れを防止することが可能となる。
【０００９】
また、この発明の車両保守管理装置によれば、前記車両保守管理サーバは、鉄道車両の故障に関する情報を保存した検査・修繕データと、前記検査・修繕データの編集を行う検査・修繕データ編集部と、前記台帳データから同一機種の機器を検索する機種・型式検索部とを備え、前記検査・修繕データ編集部は編集結果を前記台帳データに反映させ、前記機種・型式検索部は故障の種類が入力されると入力された故障を故障データとして持っている機器の一覧を表示し、この一覧より選択した機器について同機種検索ができるため、出来上がった台帳データを利用して、検査、修繕が必要な機器と同一型式あるいは同一機種の機器および該当機器が装備されている車両、編成を検索することができ、その検索結果をもとに、鉄道車両を迅速に検査・修繕することができる。
【発明を実施するための最良の形態】
【００１０】
実施の形態１．
図１はこの発明の実施の形態１である鉄道車両保守管理装置の構成を示すブロック図である。図１に示すように、車両保守管理装置は、車両保守管理サーバ１と車両保守管理装置利用端末（以下、利用端末とする。）５ａ〜５ｎ、さらに鉄道車両に搭載される車上モニタ装置６によって主に構成されている。車両保守管理サーバ１と利用端末５ａ〜５ｎは、ネットワーク４を介して接続されている。
【００１１】
車両保守管理サーバ１は、車両保守管理データベース部２と車両保守管理処理部３、さらに車上モニタ装置６の車上モニタデータを読み込んで、後述する車上モニタデータ２５に格納する車上モニタデータ読込部７によって主に構成される。
車両保守管理データベース部２には、編成マスタデータ２１ａ、車両マスタデータ２１ｂ、機器マスタデータ２１ｃよりなる各種マスタデータ２１と、編成テンプレートデータ２２ａ、車両テンプレートデータ２２ｂ、機器テンプレートデータ２２ｃよりなる各種テンプレートデータ２２と、編成台帳データ２３ａ、車両台帳データ２３ｂ、機器台帳データ２３ｃよりなる各種台帳データ２３と、検査・修繕データ２４、車上モニタデータ２５が、記憶・保存されている。
【００１２】
車両保守管理処理部３は、各種マスタデータ２１を編集するためのマスタデータ編集部３１、各種テンプレートデータ２２を編集するためのテンプレートデータ編集部３２、各種台帳データ２３を編集するための台帳データ編集部３３、利用端末５ａ〜５ｎの要求に基づいて、利用端末で設定された条件に合致した型式、機種及び、それらが装備されている車両、編成を車両保守管理データベース部２より検索し、利用端末５ａ〜５ｎのＣＲＴに表示するための機種・型式検索部３４、利用端末５ａ〜５ｎより入力された検査・修繕情報をもとに検査・修繕データ２４を編集し、編集結果を検査・修繕データに格納する検査・修繕データ編集部３５、利用端末５ａ〜５ｎの要求に応じて、検査・修繕データ２４、車上モニタデータ２５を利用端末５ａ〜５ｎのＣＲＴに表示する検査・修繕・モニタデータ閲覧部３６を含んだ構成となっている。
なお、利用端末５ａ〜５ｎは、主に、表示装置であるＣＲＴ５１、表示制御部５２、入力制御部５３、キーボード５４、マウス５５等によって構成されている。
【００１３】
車両保守管理装置の車両保守管理データベース部２において、鉄道車両の編成、その編成を構成する車両、さらにその車両を構成する機器のデータは、図２に示す通り、車両の構造を表現した階層構造の形式で生成、保管される。例えば、図２において、編成１は、車両１−１〜車両１−ｍで構成される。また、車両１−１は、機器１−１−１〜機器１−１−ｎで構成される。機器がさらに、下位層のデータとして、例えば、部品に関するデータを持つこともある。機器１−１−１〜機器１−１−ｎのそれぞれについて、検査・修繕データ、故障データ、モニタデータ、装備履歴がそれぞれ保管されている。
【００１４】
図１中の編成台帳データ２３ａは、例えば、編成名、編成番号、所属路線、所属車両基地、編成日、運用／予備／廃棄／修繕中等の運用状態、当該編成を構成する車両等のデータから構成される。また、車両台帳データ２３ｂは、例えば、車両名、車両番号、メーカ、製造日、運用状態、当該車両を構成する機器等から構成される。機器台帳データ２３ｃは、例えば、機器名称、製造番号、メーカ、製造日、運用状態等から構成される。各種データの内訳については、新項目が追加されたり、また現行の必要項目の廃止も考えられる。これらの各種台帳データ２３を作成する手順について、次に説明する。
【００１５】
図３のフロー図に示すように、各種台帳データ２３は、各種マスターデータの登録・編集（Ｓ１）、各種テンプレートデータの登録・編集（Ｓ２）を経て、各種台帳データの登録・編集（Ｓ３）の手順で行う。
各種マスタデータ２１の登録・編集（Ｓ１）では、先ず、編成マスタデータ２１ａ、車両マスタデータ２１ｂ、機器マスタデータ２１ｃを、マスタデータ編集部３１を利用して登録、または、編集する。
【００１６】
編成マスタデータ２１ａの内容は、当該データに対応する編成マスタ一覧を図４（ａ）に示すように編成マスタＩＤ（ＩＤとは、システムが自動採番する番号。Ｎｏ．に相当。）、編成マスタ名称（名称とは、画面上の編成種別に相当。）、使用フラグ（使用／未使用の別。）等からなり、入力項目としては、図４（ｂ）に、その編成マスタ編集画面を示すように、編成種別名称(編成種別１、編成種別２。)、使用フラグ等がある。
【００１７】
車両マスタデータ２１ｂの内容は、その車両マスタ一覧を図５（ａ）に示すように、車両マスタＩＤ（Ｎｏ．）、車両マスタ名称（車両種別）、使用フラグ等からなり、その入力項目としては、図５（ｂ）にその車両マスタ編集画面を示すように、車両編成種別名称（車両種別１〜車両種別３。）使用フラグ等がある。
【００１８】
機器マスタデータ２１ｃの内容は、その機器マスタ一覧を図６（ａ）に示すように、機器マスタＩＤ（Ｎｏ．）、機器名称等からなり、その入力項目としては、図６（ｂ）にその機器マスタ編集画面を示すように、機器型式、機器種別、機器階層、機器名称、使用フラグ等がある。
【００１９】
次に、各種テンプレートデータ２２の登録・編集（Ｓ２）では、各種マスタデータ２１に対し、各種テンプレートデータ２２を、テンプレートデータ編集部３２を利用して登録、または編集する。
編成テンプレートデータ２２ａの内容は、当該データに対応する編成テンプレート一覧を図７に示すように、編成マスタデータ２１ａに登録されている編成（図７（ａ）では、Ａ−Ｈ編成を例示している。）を構成する車両の号車ＩＤ（部位ＩＤ）、号車名、車両種別等からなる。
【００２０】
編成テンプレートデータ２２ａに新たに情報を登録する場合には、図７（ｂ）に示す編成テンプレートの車両登録画面を開き（図７（ｂ）では、Ａ−Ｈ編成を編集する画面を示している。）、他の編成の構成車両になっていない使用可能な車両を示す一覧(車両マスタ一覧、車両マスタデータ２１ｂに相当する。)から、任意の車両を選択し、編成の何号車かに割り付け、登録を行う。
【００２１】
車両テンプレートデータ２２ｂは、その車両テンプレート一覧を図８（ａ）に示すように、車両マスタデータ２１ｂに登録されている車両を構成する機器２２ｃの内訳（機器種別、機器名称、装備数。）等からなる。車両テンプレートデータ２２ｂに新たに情報を登録する場合には、図８（ｂ）に示す車両テンプレートの機器登録画面を開き（図８（ｂ）では、０系１５−１車両を編集する画面を示している。）、車両を構成する装備（機器）の候補となる一覧（装備候補一覧）から、任意の機器を選択し、装備先の欄に入力することで、登録を行う。
【００２２】
機器テンプレートデータ２２ｃは、その機器テンプレート一覧を図９に示すように、機器マスタデータ２１ｃに登録されている機器を構成する、より詳細な内訳が示される。例えば、機器が７００系輪軸である場合、機器テンプレート一覧に示される機器名称は、軸箱、軸受、歯車箱、歯車等となり、輪軸を構成する部品（構成機器）の名称が示される。
機器テンプレートデータ２２ｃに新たに情報を登録する場合には、上述した車両テンプレートデータ２２ｂの登録の場合と同様に、構成機器の装備候補一覧から任意の構成機器を選択し、装備先の欄に入力することで登録を行い、現在の構成機器に関する装備の情報を変更する場合には、機器テンプレートの構成機器編集画面（図示せず。）を開き、その内容を更新する。
【００２３】
次に、各種台帳データ２３の登録、編集（Ｓ３）では、上述した各種テンプレートデータ２２を利用して登録、または、編集する。
図１０に編成台帳データ２３ａを示す編成台帳一覧の画面を示し、図１１に、その編成台帳編集画面を示す。
図１０の編成台帳一覧画面には、編成テンプレートデータ２２ａの内容は直接的には表示されていないが、そのデータは図２に示した階層構造として、互いに関連付けて認識された状態となっている。
編成台帳データ２３ａを新たに登録する場合、図１２に示す編成新規登録画面において、編成名（編成種別１、編成種別２、編成番号。）を指定すると、予めその編成名で生成されている編成テンプレートデータ２２ａよりデータが複写されて、必要なデータが作成される。
【００２４】
ただし、各台帳の個別の情報は設定されていないため、別途設定していく。例えば、図１３の編成台帳の構成情報一覧画面では、構成する車両の種別情報は設定されているが、車両の実体は設定されていない。このため、車両番号以外のデータが空欄となっている。そこで、車両の実体を、図１４の車両割り付け画面において割り付ける。図１４では、同一車両種別の車両で、他の編成に割り付けられていない車両の一覧が表示されるので、その中から選択をする。車両、機器の新規登録についても同様に行う。
このため、改めて、当該編成を構成する車両、さらに、その車両を構成する機器の階層構造を設定入力する必要はなく、個々のデータにおける固有の実体情報として、編成台帳データ２３ａに関しては、所属路線、所属場所（車両基地）、メーカー、製造日、走行キロ、運用状態等の情報を順次入力すればよい。
【００２５】
また、車両台帳データ２３ｂ（図１５に車両台帳データ２３ｂを示す車両台帳一覧の画面を示す。）に関しては、メーカ、製造日、運用状態を、機器台帳データ２３ｃ（図１６に機器台帳データ２３ｃを示す機器台帳一覧の画面を示す。）に関しては、製造番号、メーカ、製造日、運用状態等のみを順次入力すればよい。
【００２６】
次に、この鉄道車両保守管理装置の検索機能の動作について説明する。
車両の故障が発生した場合に、故障の内容によっては、同一機種、或いは、同一型式の機器の検査や交換、修繕が必要となる場合（水平展開が必要な場合。）がある。このような、任意の機器と同一機種、型式の機器を検索する場合には、利用端末５ａ〜５ｎより故障原因となった機器を指定して「同機種検索」を行う。
【００２７】
この同機種検索の要求があると、型式・機種検索部３４が起動され、図１７に示すような検索画面（故障修繕情報検索画面）が利用端末５ａ〜５ｎに表示される。ここで、検索条件の欄に故障名称を入力すると、検索結果として、指定された故障名称を故障情報としてもつ編成、車両、機器の一覧が表示される。故障情報は、編成、車両、機器のいずれにでも関連つけて持たせることができる。検索結果の中から対象を選んで画面右下の機能ボタン「同種設備」を選択すると、選択された対象と同一型式または同一機種を検索して、一覧表示する（図１８）。
【００２８】
この一連の検索では、機器台帳データ２３ｃより、同一型式の機器または、同一機種の機器を検索し、さらに、車両台帳データ２３ｂから検索結果の機器が装備されている車両を検索し、編成台帳データ２３ａから当該車両が構成車両に含まれている編成を検索し、例えば、図１８に示す、故障修繕情報検索（機器情報一覧）の画面を、利用端末５ａ〜５ｎの表示制御部５２よりＣＲＴ５１に表示する。
【００２９】
この発明は、以上説明したように構成されているので、以下に示すような効果がある。
車両に関する各種管理台帳に新しい編成や車両を登録する際の膨大なデータ入力を効率よく、又、入力ミス、入力忘れを防止して生成することができ、出来上がった台帳を利用して迅速に、同一型式、或いは、同一機種の機器及び当該機器が装備されている車両、編成を検索、表示することができ、迅速な、検査・修繕を支援することができる。
【産業上の利用可能性】
【００３０】
上記の説明では、鉄道車両の編成、車両、機器に関する台帳管理等について述べたが、車両関係例えば、トロリーバス、ケーブルカー、又、車両関係以外、例えば線路や踏切、駅舎の設備に関して、同様な台帳管理、運営を行うことも可能である。
【図面の簡単な説明】
【００３１】
【図１】この発明の実施の形態１における車両保守管理装置の構成を示すブロック図である。
【図２】この発明の車両の構造を表現したデータの階層構造図である。
【図３】この発明の台帳データを作成する手順を示したフロー図である。
【図４】この発明の編成マスタデータに関する処理画面図である。
【図５】この発明の車両マスタデータに関する処理画面図である。
【図６】この発明の機器マスタデータに関する処理画面図である。
【図７】この発明の編成テンプレートデータに関する処理画面図である。
【図８】この発明の車両テンプレートデータに関する処理画面図である。
【図９】この発明の機器テンプレートデータに関する処理画面図である。
【図１０】この発明の編成台帳一覧を示す処理画面図である。
【図１１】この発明の編成台帳編集画面を示す処理画面図である。
【図１２】この発明の編成新規登録画面を示す処理画面図である。
【図１３】この発明の編成台帳の構成情報一覧画面を示す処理画面図である。
【図１４】この発明の車両割り付け画面を示す処理画面図である。
【図１５】この発明の車両台帳一覧を示す処理画面図である。
【図１６】この発明の機器台帳一覧を示す処理画面図である。
【図１７】この発明の故障修繕情報検索画面を示す処理画面図である。
【図１８】この発明の故障修繕情報検索結果を示す処理画面図である。
【符号の説明】
【００３２】
１  車両保守管理サーバ                  ２  車両保守管理データベース部
３  車両保守管理処理部                  ４  ネットワーク
５ａ〜５ｎ  車両保守管理装置利用端末    ６  車上モニタ装置
７  車上モニタデータ読込部              ２１  各種マスタデータ
２１ａ  編成マスタデータ                ２１ｂ  車両マスタデータ
２１ｃ  機器マスタデータ                ２２  各種テンプレートデータ
２２ａ  編成テンプレートデータ          ２２ｂ  車両テンプレートデータ
２２ｃ  機器テンプレートデータ          ２３  各種台帳データ
２３ａ  編成台帳データ                  ２３ｂ  車両台帳データ
２３ｃ  機器台帳データ                  ２４  検査・修繕データ
２５  車上モニタデータ                  ３１  マスタデータ編集部
３２  テンプレートデータ編集部          ３３  台帳データ編集部
３４  機種・型式検索部                  ３５  検査・修繕データ編集部
３６  検査・修繕・モニタデータ閲覧部    ５１  ＣＲＴ
５２  表示制御部                        ５３  入力制御部
５４  キーボード                        ５５  マウス
【図１】
2005073448.tif 000003
【図２】
2005073448.tif 000004
【図３】
2005073448.tif 000005
【図４】
2005073448.tif 000006
【図５】
2005073448.tif 000007
【図６】
2005073448.tif 000008
【図７】
2005073448.tif 000009
【図８】
2005073448.tif 000010
【図９】
2005073448.tif 000011
【図１０】
2005073448.tif 000012
【図１１】
2005073448.tif 000013
【図１２】
2005073448.tif 000014
【図１３】
2005073448.tif 000015
【図１４】
2005073448.tif 000016
【図１５】
2005073448.tif 000017
【図１６】
2005073448.tif 000018
【図１７】
2005073448.tif 000019
【図１８】
2005073448.tif 000020